(57)【要約】  本開示は、ユーザ装置と、基地局と、ユーザ装置によってデータを送信／受信する方法と、基地局によってデータを受信／送信する方法と、に関する。ユーザ装置は回路を備えており、この回路は、動作時、参照信号を伝えるためのそれぞれのリソースをポートに割り当てるための規則を定義するパラメータ、を受信し、ユーザ装置および基地局に既知であるマッピングに基づいて、ポートへのレイヤのマッピングの組合せのセットを生成し、ポートへのレイヤのマッピングの組合せのセットのうち、データの送信および／または受信に適用されるべき１つの組合せ、を示す制御情報を、基地局から受信する。【選択図】  図２
2020533832.tif 000002
【特許請求の範囲】
【請求項１】
通信システムにおいて、複数のアンテナを使用して、基地局にデータを送信する、および／または、基地局からのデータを受信する、ユーザ装置であって、
回路であって、動作時、
参照信号を伝えるためのそれぞれのリソースをポートに割り当てるための規則を定義するパラメータ、を受信し、
前記ユーザ装置および前記基地局に既知であるマッピングに基づいて、ポートへのレイヤのマッピングの組合せのセットを生成し、
ポートへのレイヤのマッピングの組合せの前記セットのうち、データの送信および／または受信に適用されるべき１つの組合せ、を示す制御情報を、前記基地局から受信する、
前記回路、
を備えている、ユーザ装置。
【請求項２】
前記規則が、ポートのインデクシング列をさらに定義し、
前記マッピングが、
各組合せのレイヤが、連続的にインデックス化されるポートにマッピングされる、ことを指定する、
請求項１に記載のユーザ装置。
【請求項３】
前記マッピングが、
第２の構成より高いランクを有する第１の構成の各レイヤが、前記第２の構成の任意のレイヤがマッピングされる各ポートより小さいインデックスを有するポートにマッピングされる、
ことをさらに指示し、
ランクが構成のレイヤの数である、
請求項２に記載のユーザ装置。
【請求項４】
前記参照信号を伝える前記リソースが、時間領域における１つまたは複数のシンボル上に位置する、
請求項１から請求項３のいずれか１項に記載のユーザ装置。
【請求項５】
前記マッピングが、ポートへのレイヤのマッピングの前記組合せをインデックス化することを暗黙的に含み、前記組合せが、時間領域における１個のシンボルを使用する組合せと２個以上のシンボルを使用する組合せの両方を含めて連続的にインデックス化される、請求項４に記載のユーザ装置。
【請求項６】
前記ポートに割り当てられる前記リソースが２つのリソース成分を含み、
第１のリソース成分構成が、参照信号のコームおよび巡回シフトを含み、前記コームが、奇数のサブキャリアインデックスを有するサブキャリアまたは偶数のサブキャリアインデックスを有するサブキャリアのいずれかから構成され、
第２のリソース成分構成が、周波数分割多重および周波数分割直交カバーコード（ＯＣＣ）を含み、
前記回路が、動作時、前記第１のリソース成分構成が使用されるのか前記第２のリソース成分構成が使用されるのかを示すインジケータを、前記基地局からさらに受信する、
請求項１から請求項５のいずれか１項に記載のユーザ装置。
【請求項７】
参照信号を伝えるためのそれぞれのリソースをポートに割り当てるための規則を定義する前記パラメータが、無線リソース制御（ＲＲＣ）プロトコルを介して受信される、請求項１から請求項６のいずれか１項に記載のユーザ装置。
【請求項８】
前記処理回路が、動作時、送信および／または受信用に割り当てられたキャリア周波数に従って、各ポートが１個のシンボルにマッピングされるのか、前記ポートが１個または２個のシンボルにマッピングされるのかを設定する、請求項１から請求項７のいずれか１項に記載のユーザ装置。
【請求項９】
前記回路が、動作時、前記キャリア周波数を指定するキャリアインジケータフィールド（ＣＩＦ）をさらに受信する、請求項８に記載のユーザ装置。
【請求項１０】
前記参照信号が、前方配置復調参照信号である、請求項１から請求項９のいずれか１項に記載のユーザ装置。
【請求項１１】
送受信機をさらに備えており、前記送受信機が、動作時、ポートへのレイヤのマッピングの前記示された組合せを適用して、前記データの送信および／または受信を実行する、請求項１から請求項１０のいずれか１項に記載のユーザ装置。
【請求項１２】
通信システムにおいて、ユーザ装置からのデータを受信する、および／または、ユーザ装置にデータを送信する、基地局であって、
動作時に前記データを送信または受信する複数のアンテナと、
回路であって、動作時、
参照信号を伝えるためのそれぞれのリソースをポートに割り当てるための規則を定義するパラメータ、を送信し、
前記ユーザ装置および前記基地局に既知であるマッピングに基づいて、ポートへのレイヤのマッピングの組合せのセットを生成し、
ポートへのレイヤのマッピングの組合せの前記セットのうち、データの受信および／または送信に適用されるべき１つの組合せを示す制御情報を、前記ユーザ装置に送信する、
前記回路と、
を備えている、基地局。
【請求項１３】
参照信号を伝えるためのそれぞれのリソースをポートに割り当てるための規則を定義する前記パラメータが、無線リソース制御（ＲＲＣ）プロトコルを介して送信される、請求項１２に記載の基地局。
【請求項１４】
前記回路が、動作時、参照信号を伝えるためのそれぞれのリソースをポートに割り当てるための前記規則を定義する前記パラメータ、をさらに設定する、請求項１１または請求項１２に記載の基地局。
【請求項１５】
前記ポートに割り当てられる前記リソースが、巡回シフトまたは周波数分割直交カバーコードのいずれかを含み、前記回路が、動作時、
第１のポートに適用される第１の巡回シフトまたは周波数分割直交カバーコードの割当てと、
前記第１の巡回シフトまたは周波数分割直交カバーコードとは異なる、第２のポートに適用される第２の巡回シフトまたは周波数分割直交カバーコードの割当てと、
をさらに設定し、
前記複数のアンテナのうちの第１のアンテナが、動作時、前記第１のポートを使用して前記データを受信または送信し、
前記複数のアンテナのうちの第２のアンテナが、動作時、前記第２のポートを使用して前記データを受信または送信する、
請求項１２または請求項１３に記載の基地局。
【請求項１６】
通信システムにおいて、複数のアンテナを使用して、ユーザ装置によって基地局にデータを送信する、および／または、ユーザ装置によって基地局からのデータを受信する、方法であって、
参照信号を伝えるためのそれぞれのリソースをポートに割り当てるための規則を定義するパラメータ、を受信することと、
前記ユーザ装置および前記基地局に既知であるマッピングに基づいて、ポートへのレイヤのマッピングの組合せのセットを生成することと、
ポートへのレイヤのマッピングの組合せの前記セットのうち、データの送信および／または受信に適用されるべき１つの組合せを示す制御情報を、前記基地局から受信することと、
を含む、方法。
【請求項１７】
複数のアンテナを使用して、基地局によってユーザ装置からのデータを受信する、および／または、基地局によってユーザ装置にデータを送信する、方法であって、
参照信号を伝えるためのそれぞれのリソースをポートに割り当てるための規則を定義するパラメータ、を送信することと、
前記ユーザ装置および前記基地局に既知であるマッピングに基づいて、ポートへのレイヤのマッピングの組合せのセットを生成することと、
ポートへのレイヤのマッピングの組合せの前記セットのうち、データの受信および／または送信に適用されるべき１つの組合せを示す制御情報を、前記ユーザ装置に送信することと、
を含む、方法。
【発明の詳細な説明】
【技術分野】
【０００１】
本開示は、通信システムのリソースにおけるデータおよび／または参照信号の送信および受信に関する。
【背景技術】
【０００２】
現在、第３世代パートナーシッププロジェクト（３ＧＰＰ：the 3rd Generation Partnership Project）は、次世代のセルラー技術（第５世代（５Ｇ）とも称される）の技術仕様の次のリリース（リリース１５）に取り組んでいる。３ＧＰＰの技術仕様グループ（ＴＳＧ：Technical Specification Group）の無線アクセスネットワーク（ＲＡＮ：Radio Access network）会合＃７１（２０１６年３月、Gothenburg）において、ＲＡＮ１、ＲＡＮ２、ＲＡＮ３、およびＲＡＮ４が関与する、５Ｇの最初の検討項目「Study on New Radio Access Technology（新しい無線アクセス技術に関する検討）」が承認され、５Ｇの最初の標準規格を定義するリリース１５の作業項目になるものと予測される。
【０００３】
５Ｇ  ＮＲ（新無線）の１つの目的は、非特許文献１（３ＧＰＰのウェブサイト（www.3gpp.org）で入手可能であり、その全体が参照により本明細書に組み込まれている）に定義されているすべての使用シナリオ、要件、および配置シナリオに対処し、少なくとも、高度モバイルブロードバンド（ｅＭＢＢ：enhanced mobile broadband）、超高信頼・低遅延通信（ＵＲＬＬＣ：ultra-reliable low-latency communications）、大規模マシンタイプ通信（ｍＭＴＣ：massive machine type communication）を含む、単一の技術的枠組みを提供することである。例えば、ｅＭＢＢの配置シナリオには、屋内のホットスポット、密集都市部、郊外、都市部、および高速が含まれうる。ＵＲＬＬＣの配置シナリオには、産業制御システム、モバイル健康管理（遠隔モニタリング、診断、および治療）、車両のリアルタイム制御、スマートグリッドの広域監視・制御システムが含まれうる。ｍＭＴＣには、スマートウェアラブルやセンサネットワークなど遅延の影響が小さいデータ伝送による多数の装置を使用するシナリオが含まれうる。
【０００４】
別の目的は、上位互換性である。ロングタームエボリューション（ＬＴＥ）との下位互換性は要求されず、これにより、まったく新しいシステムの設計および／または新規の特徴の導入が促進される。
【０００５】
ＮＲ（新無線）の検討項目の技術報告書の１つ（非特許文献２）に要約されているように、物理層の基本的な信号波形は、直交周波数分割多重（ＯＦＤＭ：Orthogonal Frequency Division Multiplexing）に基づく。ダウンリンクおよびアップリンクの両方において、サイクリックプレフィックスを使用するＯＦＤＭ（ＣＰ−ＯＦＤＭ）をベースとする波形がサポートされる。少なくとも、４０ＧＨｚまでのｅＭＢＢのアップリンクでは、ＣＰ−ＯＦＤＭ波形の補助として、離散フーリエ変換（ＤＦＴ：Discrete Fourier Transformation）拡散ＯＦＤＭ（ＤＦＴ−Ｓ−ＯＦＤＭ）をベースとする波形もサポートされる。
【０００６】
ＮＲにおける設計目標の１つは、ダウンリンク、アップリンク、およびサイドリンクのための、できる限り共通の波形を模索することである。アップリンク送信のいくつかのケースでは、ＤＦＴ拡散を導入する必要がないかもしれないと考えられている。用語「ダウンリンク」は、上位のノードから下位のノードへの（例えば、基地局から中継ノード、基地局からＵＥ、中継ノードからＵＥ、など）通信を意味する。用語「アップリンク」は、下位のノードから上位のノードへの（例えば、ＵＥから中継ノード、ＵＥから基地局、中継ノードから基地局、など）通信を意味する。用語「サイドリンク」は、同じレベルのノード間の通信（例えば、２基のＵＥ間、２基の中継ノード間、または２基の基地局間）を意味する。
【０００７】
用語「空間レイヤ（またはレイヤ）」は、空間多重化によって生成される複数の異なるストリームの１つを意味する。レイヤは、送信アンテナポートへのシンボルのマッピングとして説明することができる。各レイヤは、送信アンテナポートの数に等しいサイズのプリコーディングベクトルによって識別され、放射パターンに関連付けることができる。送信のランクは、送信されるレイヤの数である。コードワードは、送信機の媒体アクセス制御（ＭＡＣ：Medium Access Control）層から物理層に渡される１つのトランスポートブロック（ＴＢ：Transport Block）に対応する、独立して符号化されるデータブロックであり、巡回冗長検査（ＣＲＣ）によって保護される。一般的には、レイヤは送信時間間隔（ＴＴＩ）ごとに割り当てられ、送信時間間隔（ＴＴＩ）は、ＬＴＥではサブフレームに相当する。しかしながらＮＲでは、ＵＲＬＬＣかｅＭＢＢに応じて異なるＴＴＩを採用することができる。特に、ＮＲでは、ＴＴＩは、スロット、ミニスロット、またはサブフレームとすることができる。レイヤ、ランク、およびコードワードについては、非特許文献３の１１．２．２．２節（参照により本明細書に組み込まれている）も参照されたい。
【０００８】
基地局におけるアンテナポート（またはポート）から、参照信号パターン（ＲＳ）が送信される。ポートは、１つの物理的送信アンテナとして、または複数の物理的アンテナ要素の組合せとして、送信に使用することができる。いずれの場合にも、各アンテナポートから送信された信号は、ＵＥの受信機によってさらに分解されるようには設計されていない。所与のアンテナポートに対応する送信された参照信号パターン（ＲＳ）は、ＵＥの観点からのアンテナポートを定義し、アンテナポートが１つの物理的アンテナからの１つの無線チャネルに相当するか、そのアンテナポートを一緒に含む多数の物理的アンテナ要素からの複合チャネルに相当するかにかかわらず、ＵＥが、そのアンテナポート上で送信されたすべてのデータに対するチャネル推定を導くことを可能にする。ポートについては、非特許文献３の８．２節（参照により本明細書に組み込まれている）も参照されたい。
【０００９】
ＬＴＥでは、ＵＥにおけるデータの送信および受信は、ダウンリンク制御情報（ＤＣＩ：Downlink Control Information）として知られるメッセージ（ＵＥまたはＵＥのグループを対象とするリソース割当ておよび他の制御情報を含む）を伝える物理ダウンリンク制御チャネル（ＰＤＣＣＨ：Physical Downlink Control Channel）を用いて、ｅＮＢによってスケジューリングされる。一般的には、サブフレーム内でいくつかのＰＤＣＣＨを送信することができる。
【００１０】
制御チャネルメッセージの必要な内容は、システムの配置およびＵＥの設定に依拠する。例えば、インフラストラクチャがＭＩＭＯをサポートしない、またはＵＥが、ＭＩＭＯを伴わない送信モードに設定されている場合には、ＭＩＭＯ送信の場合にのみ要求されるパラメータをシグナリングする必要はない。したがって、シグナリングオーバーヘッドを最小にする目的で、いくつかの異なるメッセージフォーマット（それぞれが特定のシナリオの場合に要求される最小限のペイロードを含む）が利用可能であることが望ましい。その一方で、実装およびテストが複雑すぎることを回避するため、多すぎるフォーマットを規定しないことが望ましい。以下に、ＬＴＥに規定されているＤＣＩメッセージのフォーマットのセットを記載しておく。
【００１１】
上に挙げた技術規格または非特許文献４の９．３．５節（参照により本明細書に組み込まれている）を参照されたい。
−  フォーマット０：  ＤＣＩフォーマット０は、アップリンク送信モード１または２におけるシングルアンテナポート送信を使用するＰＵＳＣＨのためのリソースグラントの送信に使用される。
−  フォーマット１：  ＤＣＩフォーマット１は、単一コードワードＰＤＳＣＨ送信（ダウンリンク送信モード１，２，７）のためのリソース割当ての送信に使用される。
−  フォーマット１Ａ：  ＤＣＩフォーマット１Ａは、単一コードワードＰＤＳＣＨ送信のためのリソース割当てをコンパクトにシグナリングする目的と、競合のないランダムアクセスのために専用プリアンブルシグネチャ（dedicated preamble signature）を移動端末に割り当てる目的とに使用される（すべての送信モード）。
−  フォーマット１Ｂ：  ＤＣＩフォーマット１Ｂは、ランク１送信による閉ループプリコーディングを使用してのＰＤＳＣＨ送信（ダウンリンク送信モード６）のためのリソース割当てをコンパクトにシグナリングするために使用される。送信される情報はフォーマット１Ａと同じであるが、それらに加えて、ＰＤＳＣＨの送信に適用されるプリコーディングベクトルのインジケータが含まれる。
−  フォーマット１Ｃ：  ＤＣＩフォーマット１Ｃは、ＰＤＳＣＨ割当てを極めてコンパクトに送信するために使用される。フォーマット１Ｃが使用されるとき、ＰＤＳＣＨ送信は、ＱＰＳＫ変調の使用に制約される。このフォーマットは、例えば、ページングメッセージやブロードキャストシステム情報メッセージをシグナリングするために使用される。
−  フォーマット１Ｄ：  ＤＣＩフォーマット１Ｄは、マルチユーザＭＩＭＯを使用してのＰＤＳＣＨ送信のためのリソース割当てをコンパクトにシグナリングするために使用される。送信される情報はフォーマット１Ｂの場合と同じであるが、プリコーディングベクトルのインジケータのビットのうちの１つの代わりに、データシンボルに電力オフセットが適用されるかを示すための１個のビットが存在する。この特徴は、２基のＵＥの間で送信電力が共有されるか否かを示すために必要である。ＬＴＥの今後のバージョンでは、この特徴は、より多くの数のＵＥの間で電力を共有する場合に拡張されうる。
−  フォーマット２：  ＤＣＩフォーマット２は、閉ループＭＩＭＯ動作の場合にＰＤＳＣＨのためのリソース割当てを送信するために使用される（送信モード４）。
−  フォーマット２Ａ：  ＤＣＩフォーマット２Ａは、開ループＭＩＭＯ動作の場合にＰＤＳＣＨのためのリソース割当てを送信するために使用される。送信される情報はフォーマット２の場合と同じであるが、例外として、ｅＮｏｄｅＢ（ＬＴＥにおける基地局の名称）が２つの送信アンテナポートを有する場合にはプリコーディング情報が存在せず、４つのアンテナポートの場合には、送信ランクを示すために２ビットが使用される（送信モード３）。
−  フォーマット２Ｂ：  リリース９において導入され、デュアルレイヤ・ビームフォーミングの場合にＰＤＳＣＨのためのリソース割当てを送信するために使用される（送信モード８）。
−  フォーマット２Ｃ：  リリース１０において導入され、閉ループシングルユーザＭＩＭＯ動作またはマルチユーザＭＩＭＯ動作（最大８レイヤ）の場合にＰＤＳＣＨのためのリソース割当てを送信するために使用される（送信モード９）。
−  フォーマット２Ｄ：  リリース１１において導入され、最大８レイヤの送信に使用される。主としてＣｏＭＰ（協調マルチポイント：Ｃｏｏｐｅｒａｔｉｖｅ  Ｍｕｌｔｉｐｏｉｎｔ）において使用される（送信モード１０）。
−  フォーマット３および３Ａ：  ＤＣＩフォーマット３および３Ａは、それぞれ、２ビットまたは１ビットの電力調整を有する、ＰＵＣＣＨおよびＰＵＳＣＨのための電力制御コマンドを送信するために使用される。これらのＤＣＩフォーマットは、ＵＥのグループのための個々の電力制御コマンドを含む。
−  フォーマット４：  ＤＣＩフォーマット４は、アップリンク送信モード２における閉ループ空間多重化送信を使用する、ＰＵＳＣＨのスケジューリングに使用される。
【００１２】
サーチスペースは、ＵＥが自身へのＰＤＣＣＨを見つけることのできる一連のＣＣＥ位置を示す。各ＰＤＣＣＨは、１つのＤＣＩを伝え、ＤＣＩに付加されたＣＲＣにおいて暗黙的に符号化されたＲＮＴＩ（無線ネットワーク一時識別子）によって識別される。ＵＥは、設定されている（１つまたは複数の）サーチスペースのＣＣＥを、ブラインド復号してＣＲＣをチェックすることによって監視する。サーチスペースは、共通サーチスペースおよびＵＥ固有サーチスペースとすることができる。ＵＥは、共通サーチスペースとＵＥ固有サーチスペース（これらは重なり合うことがある）の両方を監視する必要がある。共通サーチスペースは、システム情報（ＳＩ−ＲＮＴＩを使用する）、ページング（Ｐ−ＲＮＴＩ）、ＰＲＡＣＨ応答（ＲＡ−ＲＮＴＩ）、またはＵＬ  ＴＰＣコマンド（ＴＰＣ−ＰＵＣＣＨ／ＰＵＳＣＨ−ＲＮＴＩ）など、すべてのＵＥに共通であるＤＣＩを伝える。ＵＥ固有サーチスペースは、ＵＥに固有な割当て（ＵＥに割り振られたＣ−ＲＮＴＩを使用する）、セミパーシステントスケジューリング（ＳＰＳ  Ｃ−ＲＮＴＩ）、または初期割当て（一時的なＣ−ＲＮＴＩ）のためのＤＣＩを伝える。
【００１３】
このようにＤＣＩは、ＵＥがデータを受信または送信するためのリソースを指定する（送信および受信の設定を含む）。
【先行技術文献】
【非特許文献】
【００１４】
【非特許文献１】3GPP TSG RAN TR 38.913 v14.1.0, “Study on Scenarios and Requirements for Next Generation Access Technologies”, Dec. 2016
【非特許文献２】3GPP TSG TR 38.801 v2.0.0, “Study on New Radio Access Technology; Radio Access Architecture and Interfaces”, March 2017
【非特許文献３】S. Sesia, I. Toufik and M, Baker, LTE: The UMTS Long Term Evolution, Second Edition
【非特許文献４】LTE - The UMTS Long Term Evolution - From Theory to Practice, Edited by Stefanie Sesia, Issam Toufik, Matthew Baker
【非特許文献５】3GPP TSG RAN Meeting #75, RP-171485 by NTT DoCoMo, “Revised WID on New Radio Access Technology”, June 5-8, 2017
【非特許文献６】RAN1 Chairman Notes: RAN1 NR Ad-Hoc#2
【非特許文献７】3GPP TSG RAN WG1 Meeting NR Ad-Hoc#2, R1-1711784 Agenda item: 5.1.2.4.3, MediaTek et al., “WF on DMRS Design”, Qingdao, China, 27 - 30 June 27 - 30, 2017
【非特許文献８】3GPP TSG RAN WG1 Meeting NR Ad-Hoc#2R1-1711771, Agenda Item:5.1.2.4.3, LG Electronics, ZTE, “WF on signaling DMRS configuration”, Qingdao, China, 27 - 30 June 27 - 30, 2017
【非特許文献９】3GPP TS 36.212, V14.3.0
【発明の概要】
【００１５】
非限定的かつ例示的な一実施形態は、穏当なシグナリングオーバーヘッドを維持しながら、ポートへのレイヤの柔軟なマッピングと、複数の異なる前方配置ＤＭＲＳ（front-loaded DMRS）構成内での１シンボルＤＭＲＳまたは２シンボルＤＭＲＳを柔軟に設定することを促進する。
【００１６】
一般的な一態様においては、本明細書に開示されている技術は、通信システムにおいて、複数のアンテナを使用して、基地局にデータを送信する、および／または、基地局からのデータを受信する、ユーザ装置であって、回路を備えており、この回路が、動作時、参照信号を伝えるためのそれぞれのリソースをポートに割り当てるための規則を定義するパラメータ、を受信し、ユーザ装置および基地局に既知であるマッピングに基づいて、ポートへのレイヤのマッピングの組合せのセットを生成し、ポートへのレイヤのマッピングの組合せのセットのうち、データの送信および／または受信に適用されるべき１つの組合せ、を示す制御情報を、基地局から受信する、ユーザ装置、を提供する。
【００１７】
なお、一般的な実施形態または特定の実施形態は、システム、方法、集積回路、コンピュータプログラム、記憶媒体、またはこれらの任意の選択的な組合せとして、実施できることに留意されたい。
【００１８】
開示されている実施形態のさらなる恩恵および利点は、本明細書および図面から明らかになるであろう。これらの恩恵および／または利点は、本明細書および図面のさまざまな実施形態および特徴によって個別に得ることができ、ただしこのような恩恵および／または利点の１つまたは複数を得るために、これらの特徴すべてを設ける必要はない。
【図面の簡単な説明】
【００１９】
【図１】図１Ａ〜図１Ｄは、前方配置復調参照信号（ＤＭＲＳ）の構成タイプの概略図である。
【図２】図２は、送信装置および受信装置の構造を示しているブロック図である。
【図３】図３は、ＤＭＲＳポートのインデクシング、ポートへのレイヤのマッピング、および１シンボルＤＭＲＳまたは２シンボルＤＭＲＳの指示、の枠組み、を示しているブロック図である。
【図４】図４Ａおよび図４Ｂは、例示的な１シンボルＤＭＲＳ構成タイプの場合の例示的なポートのナンバリングの図である。
【図５】図５Ａおよび図５Ｂは、例示的な２シンボルＤＭＲＳ構成タイプの場合の例示的なポートのナンバリングの図である。
【図６】図６は、ユーザ装置の回路を示しているブロック図である。
【図７】図７は、８つの直交ポートを使用するダウンリンク復調参照信号（ＤＭＲＳ）を示している図である。
【発明を実施するための形態】
【００２０】
第３世代パートナーシッププロジェクトの新無線（３ＧＰＰ  ＮＲ）では、幅広い要件およびユースケースを満たすため、参照信号が再設計されている。チャネル推定の目的に使用される復調参照信号（ＤＭＲＳ）も、サイクリックプレフィックス直交周波数分割多重（ＣＰ−ＯＦＤＭ）波形を使用するアップリンクおよびダウンリンクの両方において、均一な構造を有するように設計中である。本開示は、（データチャネルの先頭における）前方配置ＤＭＲＳのポートのマッピングおよび関連するシグナリングの態様に関する。前方配置ＤＭＲＳの２つの構成（直交ＤＭＲＳポートの多重化方式が異なる）がサポートされることと、各構成において１シンボルＤＭＲＳまたは２シンボルＤＭＲＳを使用する柔軟性を有することとが、すでに合意されている。現在のＬＴＥには、直交ＤＭＲＳポートの多重化方式が１種類である固定された構成が存在し、かなり柔軟性の低い、ポートへのレイヤのマッピングが許可される。しかしながらＮＲでは、直交ＤＭＲＳポートの複数の異なる多重化方式の恩恵を生かすために、ポートへのレイヤの柔軟なマッピングを有することが期待される。本開示では、ポートのインデクシング（indexing）を柔軟に設定し、ポートへのレイヤのマッピングを生成し、テーブルのインデックスと一緒に各構成における１シンボルＤＭＲＳまたは２シンボルＤＭＲＳを示す方法に関する枠組みを提供する。
【００２１】
本開示は、ＮＲの技術に関する。ＮＲのアクセス技術に関する進行中の作業項目については、非特許文献５を参照されたい。より具体的には、本開示は、ＣＰ−ＯＦＤＭ波形を使用するダウンリンクおよびアップリンクの両方における前方配置ＤＭＲＳの態様を扱う。ＲＡＮ１  ＮＲ＃２からの議長メモ（chairman notes）（非特許文献６（参照により本明細書に組み込まれている））には、ＤＭＲＳに関連する最新の合意事項すべてが記録されており、本開示は、まだ検討されていないかまたはさらに検討する余地のある面のいくつかを扱う。本開示は、ＤＭＲＳポートへのレイヤの柔軟なマッピングと、前方配置ＤＭＲＳ構成それぞれにおける１シンボルＤＭＲＳまたは２シンボルＤＭＲＳのシグナリング、のための枠組みを提供する。
【００２２】
前述したように、３ＧＰＰ  ＮＲでは、ダウンリンクおよびアップリンクの両方において復調参照信号（ＤＭＲＳ）が再設計される。
【００２３】
最新の合意によれば、ＣＰ−ＯＦＤＭ波形を使用するダウンリンクおよびアップリンクにおいて、前方配置ＤＭＲＳの２つの構成がサポートされ、これらは図１Ａ〜図１Ｄに示してある。前方配置参照信号は、１シンボルＤＭＲＳが使用される場合には、ＴＴＩのうちのシグナリングセクション（シグナリングセクションは例えば２個のシンボルから成る）に隣接する最初のデータシンボルに割り当てられ、２シンボルＤＭＲＳが使用される場合には、最初の２個のデータシンボルに割り当てられる。特に、ＮＲ  ＤＭＲＳに関係する以下の関連する合意事項が、非特許文献７（参照により本明細書に組み込まれている）に提案されており、参照により本明細書に組み込まれている議長メモ（３ＧＰＰのウェブサイト（www.3gpp.org）で入手可能である）において更新および合意される。
【００２４】
ＤＭ−ＲＳに関してＲＡＮ１＃８９においてなされた想定は、ＣＰ−ＯＦＤＭの場合に以下のように更新および合意されている。すなわちＵＥは、ダウンリンク／アップリンクにおいて前方配置ＤＭＲＳ構成タイプ１からのＤＭＲＳパターン、または前方配置ＤＭＲＳ構成タイプ２からのＤＭＲＳパターンを使用するように、上位層によって設定される。
【００２５】
図１Ａ〜図１Ｄそれぞれは、１４個のシンボルと１２本のサブキャリアのスロットに対応する例示的なグリッドを示している。各図における左側の最初の２個のシンボルは、スロットのシグナリングセクションに相当する。シグナリングセクションでは、物理ダウンリンク制御チャネル（ＰＤＣＣＨ）がシグナリングされる。ＬＴＥでは、サブフレームは常に２つのスロットを含む。しかしながら一般的な通信システムでは、サブフレームは、１つのスロットに対応する、または３つ以上のスロットを含むことができる。さらに本開示は、１４個のシンボルおよび１２本のサブキャリアを有するスロットに限定されない。
【００２６】
図１Ａおよび図１Ｂには、構成タイプ１に対応する第１の前方配置ＤＭＲＳ構成を示してある。この構成は、シングルユーザ多入力多出力（ＳＵ−ＭＩＭＯ：Single-User Multiple Input Multiple Output）またはマルチユーザ多入力多出力（ＭＵ−ＭＩＭＯ：Multi-User Multiple Input Multiple Output）の場合の最大８つの直交ポートのサポートを目的としている。この第１の構成は、図１Ａに示したように１個のシンボルのＤＭＲＳが使用される場合、最大４つの直交ポートをサポートする。具体的には、２つのコーム（comb）および２つの巡回シフト（ＣＳ）を組み合わせて最大４つの成分セット（component set）を形成することができ、結果としての各成分セットを最大４つのポートにそれぞれ割り当てることができる。図１Ｂに示したように２個のシンボルのＤＭＲＳが使用される場合、２つのコームおよび２つの巡回シフトを、２つの時分割直交カバーコード（ＴＤ−ＯＣＣ：time division Orthogonal Cover Codes）（特にウォルシュ-アダマール（Walsh-Hadamard）ＴＤ−ＯＣＣ）（｛１，１｝および｛１，−１｝）とさらに組み合わせることができ、最大８つの直交ポートをサポートすることができる。しかしながら２シンボルＤＭＲＳの場合に、｛１，１｝および｛１，−１｝の両方を使用することなく最大４つのポートをスケジューリングすることも可能であるべきである。
【００２７】
図１Ｃおよび図１Ｄには、構成タイプ２に対応する第２の前方配置ＤＭＲＳ構成を示してある。この構成は、ＳＵ−ＭＩＭＯまたはＭＵ−ＭＩＭＯの場合の最大１２の直交ポートのサポートを提供する。特に、周波数領域における隣り合うＲＥ（リソースエレメント）にまたがってそれぞれ適用される２つの（ウォルシュ-アダマール）周波数分割直交カバーコード（ＦＤ−ＯＣＣ）によって、６つの成分セットが形成される。図１Ｃおよび図１Ｄから理解できるように、１２本のサブキャリアの場合、隣り合うＲＥ（リソースエレメント）のペアが、３つの周波数分割多重（ＦＤＭ：Frequency Division Multiplexing）グループにグループ化される。したがって、３つのＦＤＭグループにそれぞれ適用される２つのＦＤ−ＯＣＣ（｛１，１｝および｛１，−１｝の両方）から、６つの成分セットが形成される。１シンボルＤＭＲＳの場合（図１Ｃ）には、結果としての６つの各成分セットを、最大６つの直交ポートに割り当てることができる。２シンボルＤＭＲＳの場合には、これらの６つの成分セットを２つのＴＤ−ＯＣＣとさらに組み合わせることができ、結果として、最大１２の直交ポートをサポートすることが可能である（図１Ｄ）。
【００２８】
図１Ａ〜図１Ｄを参照しながら上述したように、コーム、巡回シフト、ＦＤ−ＯＣＣ、ＦＤＭ、およびＴＤ−ＯＣＣが、参照信号（特に、前方配置ＤＭＲＳ）のリソース成分（resource component）を構成する。これらのリソース成分は、第１の前方配置ＤＭＲＳ構成または第２の前方配置ＤＭＲＳ構成に従って組み合わされ、結果としての成分セットがそれぞれ直交ポートに割り当てられる。しかしながら、低いランクの場合にも２シンボルＤＭＲＳの使用が可能であるべきである。１シンボルＤＭＲＳまたは２シンボルＤＭＲＳの場合における特定の構成によってサポートされる成分セットの一部のみが、ポートの割当て用に使用される必要がある。特に、２シンボルの場合にも、｛１，１｝および｛１，−１｝の両方を使用することなく最大６つのポートをスケジューリングすることが可能であるべきである。
【００２９】
ユーザ機器（ＵＥ）の観点からは、周波数領域符号分割多重（ＣＤＭ：code division multiplexing）によって多重化されるＤＭＲＳポートは、疑似的に同じ場所に配置されている（quasi co-located）。
【００３０】
ＵＥを対象とする前方配置ＤＭＲＳ構成タイプがアップリンクとダウンリンクとで異なることができるか否かについては、依然として今後さらに検討される。さらに、上の合意に伴って複雑さ／動作性能の重大な問題がある場合、縮小した選択が検討されることもありうる。
【００３１】
さらには、低ランクの場合の２シンボルＤＭＲＳの使用に関連して、以下の合意もなされた（これらの合意については非特許文献８（参照により本明細書に組み込まれている）を参照されたい）。ＵＥに割り当てられるＤＭＲＳポートの数がＮ（Ｎは、構成１の場合には４、構成２の場合には６）に等しいかまたはそれより小さいときに、前方配置ＤＭＲＳシンボルの数を１または２とすることができる。１シンボルＤＭＲＳが使用されるか２シンボルＤＭＲＳが使用されるかの決定の詳細は、依然として今後さらに検討される。
【００３２】
［現在のＬＴＥのＤＭＲＳ構成］
ＮＲにおける上述したＤＭＲＳ構成は、ＬＴＥとは異なり、ＬＴＥには、最大で合計８つの直交ポート／レイヤをサポートするための、図７に示したダウンリンクにおける１つの構成（ウォルシュ-アダマール直交カバーコードを用いて周波数および時間における符号分割多重を使用する）が主として存在する。図７の構成と、ＬＴＥにおけるＤＭＲＳ構成に関するさらなる詳細は、非特許文献３の２９．１．１節（参照により本明細書に組み込まれている）に記載されている。
【００３３】
次の表１は、現在のＬＴＥにおけるポートへのレイヤのマッピングのテーブル（非特許文献９（表５．３．３．１．５Ｃ−２）からの引用である）を示している。
【表１】
2020533832.tif 000003
【００３４】
現在のＬＴＥでは、ダウンリンクにおいて最大８つの直交ＤＭＲＳポートがサポートされており、これらの直交ＤＭＲＳポートは、１種類の多重化方式（すなわち時間／周波数におけるＯＣＣ）を主として使用する。したがって、所与のシナリオにおける動作性能に影響を及ぼすことなく、ポートの任意の組合せを使用してレイヤをマッピングすることができる。さらには、所与のレイヤ数において、リソースの使用（ＤＭＲＳオーバーヘッド）は、ポートのいずれの組合せでも同じである。
【００３５】
さらに、現在のＬＴＥでは、ＭＵ−ＭＩＭＯの限られたサポートが提供される。また、固定されたＤＭＲＳ構成がサポートされる。したがって、動的に設定するための追加のシグナリングは必要ない。
【００３６】
さらには、表１から理解できるように、ポートへのレイヤのマッピングに許可される組合せは極めて限られている。現在のＬＴＥでは、所与のユーザを対象とするポートへのレイヤのマッピングをシグナリングするために、長さ４のビットマップが定義されており、すなわちポートへのレイヤのマッピングにおいて最小限の数のポートの組合せがサポートされる。特に、２レイヤまでの場合、マッピングのためのポートのインデクシングは、連続的であり重複しない。３〜８レイヤの場合、インデクシングは連続的であり重複せず、固定された開始点としてのインデックス０から始まる。マッピングはポートの１つの組合せに限定される。
【００３７】
［ＮＲにおけるＤＭＲＳの要件］
ＮＲでは、次段落で説明する課題の理由で、このようなサポートは十分ではない。我々の認識によれば、主たる理由として現在の合意事項は極めて最近であるため、ＮＲにおけるＤＭＲＳポートのマッピングおよび関連するシグナリングに関係する問題に対しては、具体的に対処する以外に利用可能な解決策は存在しない。
【００３８】
ＮＲでは、ＤＭＲＳ構成が、幅広いシナリオ（特に、アップリンク、ダウンリンク、さまざまなキャリア周波数、および低レイテンシを含む）をサポートすることが要求される。直交ＤＭＲＳポートへのユーザのレイヤのマッピングは、以下の理由から柔軟であることが期待される。第一に、異なるポートが、異なるシナリオにおいて動作性能が変わりうる異なるタイプの多重化方式に対応することがある。第二に、ポートへのレイヤのマッピングが異なる方法で行われる場合、所与のレイヤ数におけるリソースの使用（ＤＭＲＳオーバーヘッド）が異なりうる。第三に、現在のＬＴＥ（ロングタームエボリューション）におけるＭＵ−ＭＩＭＯのサポートと比較して、ＭＵ−ＭＩＭＯの改良されたサポートが期待される。前方配置ＤＭＲＳ構成それぞれにおいて、１シンボルＤＭＲＳまたは２シンボルＤＭＲＳを柔軟に設定することが期待される。
【００３９】
さまざまなシナリオにおける、ポートへのレイヤの柔軟なマッピングをサポートするためには、より多くのポートの組合せを許可する必要があり、結果としてシグナリングオーバーヘッドが増大する。さらに、所与の前方配置ＤＭＲＳ構成タイプにおいて１シンボルＤＭＲＳまたは２シンボルＤＭＲＳのいずれかを選択することにより、シグナリングオーバーヘッドがさらに増大する。
【００４０】
これらの要件に基づき、穏当なシグナリングオーバーヘッドを可能にしながら、ポートへのレイヤの柔軟なマッピングと、複数の異なる前方配置ＤＭＲＳ構成内での１シンボルＤＭＲＳまたは２シンボル以上のＤＭＲＳの柔軟な設定とをサポートする必要がある。
【００４１】
［実施形態の説明］
本開示は、穏当なシグナリングオーバーヘッドを可能にしながら、ポートへのレイヤの柔軟なマッピングと、複数の異なる前方配置ＤＭＲＳ構成内での１シンボルＤＭＲＳまたは２シンボル以上のＤＭＲＳの柔軟な設定とをサポートすることを促進する。
【００４２】
例示的な一実施形態においては、図２に示したように、本開示は、通信システムにおいて、複数のアンテナを使用して、基地局２６０にデータを送信する、および／または、基地局２６０からのデータを受信する、ユーザ装置２１０、を提供する。本ユーザ装置は、ＬＴＥおよびＮＲにおける通常の呼称であるユーザ機器（ＵＥ）に相当しうる。送信および／または受信には、通常では無線チャネルが使用される。本ユーザ装置は回路２３０を備えており、この回路２３０は、参照信号用のリソースをポートに割り当てるために使用されるパラメータを受信し、ポートへのレイヤのマッピングの組合せのセットを生成し、これらのマッピングの組合せのうち、データの送信および／または受信に適用されるべき１つの組合せ、を示す制御情報を、基地局２６０から受信する、ように構成されている。
【００４３】
特に、回路２３０は、動作時、参照信号を伝えるためのそれぞれのリソースをポートに割り当てるための規則を定義するパラメータ、を受信する。ポートに割り当てられるリソースは、一般には少なくとも２つのリソース成分を含む。例えば、これらのリソース成分は、図１Ａ〜図１Ｄに示したそれぞれの構成に従って、コーム、巡回シフト、ＦＤ−ＯＣＣ、ＦＤＭに相当する。
【００４４】
ユーザ装置２１０の回路２３０は、動作時、ユーザ装置２１０および基地局２６０に既知であるマッピングに基づいて、ポートへのレイヤのマッピングの組合せのセットを生成する。この場合、ポートへのレイヤのマッピングの組合せは、ユーザ装置２１０などの特定のユーザ端末によってデータの送信または受信に使用されるレイヤが、所与のポート構成において利用可能であるポートにどのようにマッピングされるかを、ＴＴＩごとに指定する。
【００４５】
さらに、ユーザ装置２１０の回路２３０は、動作時、ポートへのレイヤのマッピングの組合せのセットのうち、ＴＴＩごとにデータの送信および／または受信に適用されるべき、ポートへのレイヤのマッピングの１つの特定の組合せ、を示す制御情報を、基地局２６０から受信する。すなわち、ポートへのレイヤのマッピングの、示された組合せは、データの送信および／または受信のためにユーザ装置２１０によって使用されるレイヤがマッピングされるポートを定義する。この場合、ＴＴＩは、例えばスロット、ミニスロット、またはサブフレームとすることができる。
【００４６】
ポートへのレイヤのマッピングの１つの組合せを示す制御情報は、例えば、ＰＤＣＣＨにおいてＤＣＩの中で送信することができ、ポートへのレイヤのマッピングのその特定の組合せをデータの送信および／または受信に適用するように端末に通知する、スケジューリング設定の一部とすることができる。ＤＣＩは、一般的には、アップリンクまたはダウンリンクのデータ送信をスケジューリングする役割を果たしうる（一般には両方をスケジューリングすることも可能である）。ＵＥは、ＤＣＩを受信すると、受信された、ポートへのレイヤのマッピングの組合せに従って、レイヤおよびポートを設定し、それに応じて、スケジューリングされたリソースにおいてデータを受信または送信する。
【００４７】
図２に示したように、ユーザ装置２１０は、送受信機２２０（すなわち無線チャネルを通じて電波を送信する送信機および受信する受信機）を備えている。送受信機２２０は、動作時、基地局から受信された制御情報によって指示された、ポートへのレイヤのマッピングの示された組合せを適用して、データの送信および／または受信を実行する。
【００４８】
ユーザ装置２１０の回路２３０の構造は、図６に示してある。ユーザ装置の回路２３０は、シグナリング情報受信ユニット２３２と、マッピング生成ユニット２３１とを備えている。シグナリング情報受信ユニット２３２は、参照信号を伝えるためのそれぞれのリソースをポートに割り当てるための規則を定義するパラメータ、を受信するように構成されている。マッピング生成ユニット２３１は、ユーザ装置および基地局に既知であるマッピングに基づいて、ポートへのレイヤのマッピングの組合せのセットを生成するように構成されている。シグナリング情報受信ユニット２３２は、ポートへのレイヤのマッピングの組合せのセットのうち、データの送信および／または受信に適用されるべき１つの組合せ、を示す制御情報を、基地局２６０から受信するようにさらに構成されている。なお、ユーザ装置２１０の送受信機２２０は、基地局２６０によって無線チャネルを通じて送信された電波を受信することに留意されたい。ユーザ装置の回路２３０は、下位層からのすでに復調されたデータおよび／または制御データを受け取る。
【００４９】
ユーザ装置２１０に対応して、本開示は、通信システムにおいて、ユーザ装置からのデータを受信する、および／または、ユーザ装置にデータを送信する、基地局２６０、をさらに提供する。本基地局は、例えば、ｅＮｏｄｅＢ（ｅＮＢ）、またはＮＲにおける類似するエンティティ（現時点ではｇＮＢと称されている）とすることができる。さらに本開示は、中継ノード（本明細書に記載されている基地局として扱われる中継ノード、または本明細書に記載されているユーザ装置として扱われる中継ノードのいずれか）にも適用可能である。基地局２６０（または、より具体的には基地局２６０に含まれている送受信機２７０）は、複数のアンテナを備えており、これらのアンテナは、動作時、データを送信する、または受信する。さらに、基地局２６０は回路２８０を備えており、この回路２８０は、動作時、参照信号を伝えるためのそれぞれのリソースをポートに割り当てるための規則を定義するパラメータを、送受信機２７０を介して送信する。さらに基地局２６０の回路２８０は、動作時、ユーザ装置および基地局に既知であるマッピングに基づいて、ポートへのレイヤのマッピングの組合せのセットを生成する。したがって基地局は、ＵＥのスケジューリングを実行することができ、すなわち、送信または受信のためのリソースをＵＥに割り当てて、送信パラメータおよび受信パラメータに適用される対応する設定（ＤＣＩに関して上述した、変調、符号化、レイヤおよびポートの設定など）をＵＥに提供することができる。基地局は、１基または複数基のＵＥに対してスケジューリングを実行することができる。さらに基地局２６０の回路２８０は、動作時、ポートへのレイヤのマッピングの組合せのセットのうち、データの受信および／または送信のためにユーザ装置２１０によって適用されるべき１つの組合せ、を示す制御情報を、送受信機２７０を介して送信する。制御情報は、ＤＣＩに類似したものとすることができる。基地局は、ダウンリンクにおけるＵＥへのデータの送信をスケジューリングする制御情報を送信した後には、ポートとレイヤの組合せを使用して、割り当てたリソースにおいてダウンリンクでデータを送信する。アップリンクにおけるＵＥのデータ送信をスケジューリングする制御情報を送信した後には、基地局は、割り当てたリソースにおける、ポートへのレイヤのマッピングの組合せを使用してのデータを、アップリンクでＵＥから受信する。
【００５０】
図２に示したように、基地局２６０は、送受信機２７０（すなわち無線チャネルを通じて電波を送信する送信機および受信する受信機）を備えている。送受信機２７０は、動作時、ユーザ装置２１０（基地局から受信された制御情報によって指示された、ポートへのレイヤのマッピングの示された組合せを適用する）によって送信されたデータの受信、および／または、データの送信、を実行する。送受信機２７０は、基地局の複数のアンテナを備えている。
【００５１】
例えば、基地局２６０の回路２８０は、参照信号を伝えるためのそれぞれのリソースをポートに割り当てるための規則を定義するパラメータ、をさらに設定する。例えば基地局２６０は、回路２８０を使用して、ポート割当ての規則を定義するパラメータを設定し、このパラメータを複数のユーザ装置に送信する。
【００５２】
さらには、例えば基地局２６０の回路２８０は、ユーザ装置２１０または複数のユーザ装置に適用される制御情報を、ユーザ装置２１０または複数のユーザ装置のそれぞれのレイヤ数に従ってさらに設定することができる。したがって基地局は、例えば、各ユーザ装置にそれぞれの制御情報を送る。
【００５３】
参照信号用のそれぞれのリソースをポートに割り当てるための規則（ポート割当て規則）は、例えば、ポートのインデクシング（具体的にはポートのインデクシング列／ナンバリング列）をさらに定義する。すなわち各ポート（したがって所与のポートに割り当てられるリソース成分の特定のセット）に対して、ポートのインデクシング列によってポート番号（インデックス）が決まる。このようなポートのインデクシング列が定義されている場合、ポートへのレイヤのマッピングの組合せが基づくマッピングにおいて、ポートをそれらのインデックスによって示すことができる。
【００５４】
特に、ポート割当て規則によってポートのインデクシングが定義される場合、マッピングは、例えば以下を指定することができる。
１）  ポートへのレイヤのマッピングの各組合せのレイヤは、連続的にインデックス化されたポートにマッピングされる（「連続的なマッピング」）。すなわち、ポートへのレイヤのマッピングの各組合せにおいて、ポートインデックスの間に間隔があかない。
２）  第２の構成より高いランクを有する第１の構成の各レイヤは、第２の構成の任意のレイヤがマッピングされる各ポートより小さいインデックスを有するポートにマッピングされる（ランクは構成のレイヤ数である）（「より高いランクの優先性」）。すなわち、より高いランクを有する（すなわち、ポートにマッピングされる、より多くのレイヤ（例えば少なくとも２つのレイヤ）を有する）ユーザ端末が、「最初に」（すなわち、より低いランク（例えば１つのみのレイヤ）を有する別のユーザ端末より小さいポート番号のポートに）マッピングされる。
【００５５】
ポートへのレイヤのマッピングにおける柔軟性が高まるとき、上のマッピング原則１）および原則２）によって、ポートへのレイヤのマッピングの利用可能な組合せの総数が減少する。したがって、ポートへのレイヤのマッピングの組合せがインデックス化されている場合、ポートへのレイヤのマッピングの組合せのインデックスの数が減少し、制御情報において、ポートへのレイヤのマッピングの組合せに対応するそれぞれのインデックスを示してシグナリングするために必要なビットがより少ない。
【００５６】
ポートへのレイヤのマッピングの原則１）および原則２）の適用の例を、表２に示してある。各行において、インデックスは、ポートへのレイヤのマッピングの組合せ（すなわち、所与のユーザ装置のレイヤの数と、これらのレイヤをマッピングすることのできるポート（ポートインデックス／番号）を示す。原則１）および原則２）を通じて除外されるマッピングの組合せには、取り消し線を付してある。表２は、ＮＲ用に提案されるＤＭＲＳ構成１の例えば１シンボルＤＭＲＳに対応する４つの直交ポートを示している。
【表２】
2020533832.tif 000004
【００５７】
例えば、マッピング原則１）および２）が組み合わされる。表２において、連続的なマッピング（原則１））の理由で利用できないマッピング設定には、アスタリスク（＊）を付してある。原則１）に加えて原則２）（「より高いランクの優先性」）が適用される理由で利用できない設定には、ハッシュ記号（＃）を付してある（原則１）かつ原則２））。
【００５８】
しかしながら別の例として、上記の、ポートへのレイヤのマッピングの原則１）および原則２）のそれぞれを、単独で適用することができる。
【００５９】
さらには、原則１）および原則２）の適用は、表２に示したような１シンボルＤＭＲＳ構成１に限定されない。より大きいポート数の別のＤＭＲＳ構成にも、原則１および原則２）を同様に適用することができ、この場合には減少効果はさらに著しく、なぜなら、合計ポート数が大きいほど、原則１および原則２）のいずれかを通じた除外の対象となる、ポートへのレイヤのマッピングの利用可能な組合せが多いためである。これと同時に、残りの利用可能なポートと、ＤＭＲＳ構成タイプ１およびタイプ２が利用可能であることにより提供される柔軟性の理由で、十分な柔軟性を提供することができる。
【００６０】
参照信号は、例えば、前方配置参照信号（特に、前方配置ＤＭＲＳ）である。したがって、データを復調する前に、ＤＭＲＳに基づくチャネル品質推定を実行することができ、したがって、データ復調の低レイテンシを達成することができる。しかしながら本開示は、前方配置参照信号に限定されない。データフレームの任意のシンボルにＤＭＲＳを配置することもできる。
【００６１】
参照信号を伝えるリソースは、時間領域における１つまたは複数のシンボルに位置する。例えば、参照信号は、ＮＲに関してなされた合意に従って、１シンボルＤＭＲＳまたは２シンボルＤＭＲＳに相当することができる。２シンボルＤＭＲＳの場合、ＴＤ−ＯＣＣが、参照信号を伝えるリソースの１つを構成する。しかしながら本開示は、１シンボルの参照信号または２シンボルの参照信号に限定されず、データセクションの最初（前方配置）または他の位置に参照信号を割り当てるための３以上のシンボル数を使用することができる。
【００６２】
ユーザ装置２１０および基地局２６０に既知であるマッピングは、例えば、ポートへのレイヤのマッピングの組合せのインデクシングを暗黙的に含む。表２の例では、ポートへのレイヤのマッピングの組合せの、結果としてのインデックスは、表の「インデックス」列内の数に相当する。表２の例では、ポートへのレイヤのマッピングの、１５個のインデックス化された組合せが存在し、これらの組合せのすべてが１シンボルＤＭＲＳに対応する。
【００６３】
しかしながら別の例では、ポートへのレイヤのマッピングの組合せが、時間領域における１個のシンボルを使用する組合せと２個以上のシンボルを使用する組合せの両方を含めて、連続的にインデックス化される。すなわち、１シンボルを使用する組合せと、２シンボルを使用する組合せの両方を通じた、共通のインデックスが形成される。例えば、最初の方の（小さい）インデックスが１シンボルの組合せを示し（例：インデックス１〜１５）、そのあとに、２シンボルの設定のインデックス（例：インデックス１６〜６３）が続き、そのあとに、３シンボルの組合せ（利用可能な場合）が続く（以下同様）。１シンボルの参照信号を使用するマッピングの組合せと、２個以上のシンボルの参照信号を使用するマッピングの組合せの両方を含む、このような連続的なインデックスを有する場合、特定のマッピング設定を示すことによって、１シンボルの参照信号が存在するのか、２シンボルの参照信号が存在するのか、または任意の別の数のシンボルの参照信号が存在するのかが、暗黙的に示される。
【００６４】
ポートに割り当てられるリソースは、例えば、第１のリソース成分構成または第２のリソース成分構成に従って、２つのリソース成分を含む。第１のリソース成分構成は、リソース成分として、コームおよび巡回シフトを含む。コームは、サブキャリアの区別を定義し、１つおきのサブキャリアインデックスを有するサブキャリアが、相異なるコームにグループ化される。したがって第１のコームは、奇数のサブキャリアインデックスを有するサブキャリアから成り、第２のコームは、偶数のサブキャリアインデックスを有するサブキャリアから成る。第２のリソース成分構成は、周波数分割多重および周波数分割直交カバーコード（ＯＣＣ）を含む。特に、第１のリソース成分構成および第２のリソース成分構成は、上述した構成タイプ１および構成タイプ２にそれぞれ対応する。基地局２６０は、動作時、第１のリソース成分構成および第２のリソース成分構成のどちらが使用されるかを設定し、第１のリソース成分構成が使用されるのか第２のリソース成分構成が使用されるのかを示すインジケータ（すなわちシグナリング情報）を、ユーザ装置２１０に送信する。ユーザ装置２１０の回路２３０は、動作時、このインジケータをユーザ装置の送受信機２２０を介して受信する。リソース成分構成のインジケータは、例えば、システム情報、測定の設定および報告など複数の機能領域をカバーする無線リソース制御（ＲＲＣ：Radio Resource Control）プロトコルを介して、送信／受信される。
【００６５】
より一般的には、参照信号を伝えるためのそれぞれのリソースをポートに割り当てるための規則を定義するパラメータは、例えば、ＲＲＣプロトコルを介して基地局によって送信され、送信機によって受信される。
【００６６】
ポートに割り当てられるリソースは、例えば、巡回シフトまたは周波数分割直交カバーコードのいずれかを含む。基地局２６０の回路２８０は、例えば、第１のポートに適用される第１の巡回シフトまたは周波数分割直交カバーコードの割当てと、この第１の巡回シフトまたは周波数分割直交カバーコードとは異なる、第２のポートに適用される第２の巡回シフトまたは周波数分割直交カバーコードの割当てと、を設定する。複数のアンテナのうちの第１のアンテナは、動作時、第１のポートを使用してデータを受信または送信し、複数のアンテナのうちの第２のアンテナは、動作時、第２のポートを使用してデータを受信または送信する。参照信号は、１シンボル参照信号または２個以上のシンボルの参照信号とすることができ、２個以上のシンボルの参照信号の場合、ポートに割り当てられるリソースは、例えば、ＴＤ−ＯＣＣをさらに含む。
【００６７】
本開示の例によれば、基地局２６０は、ユーザ装置２１０による送信および／または受信用に割り当てられる１つまたは複数のキャリア周波数を決定し、どのキャリア周波数が割り当てられるかを示すインジケータを送信する。ユーザ装置２１０はこのインジケータを受信する。ユーザ装置２１０の回路２３０は、送信および／または受信用に割り当てられたキャリア周波数に従って、各ポートが１個のシンボルにマッピングされるのか、ポートが１個または２個のシンボルにマッピングされるのかを設定する。
【００６８】
したがって、各ポートに対して１シンボルＤＭＲＳを使用するか、１シンボルＤＭＲＳおよび／または２シンボルＤＭＲＳの両方が使用可能であるかに関して、２つのバリエーションを開示する。バリエーション１では、すべての周波数において多重化方式に関する制約が指定されない。したがってポートは、１個または２個のシンボルにマッピングされる。これに対してバリエーション２では、特定のしきい値（例えば６ＧＨｚ）より高いキャリア周波数の場合に２シンボルＤＭＲＳ（したがってＴＤ−ＯＣＣ）が許可されない。
【００６９】
例えば、基地局２６０が、送信／受信用に割り当てられるキャリア周波数を指定するキャリアインジケータフィールド（ＣＩＦ）を送信し、ユーザ装置２１０がこれを受信する。したがってユーザ装置２１０の回路２３０は、動作時、上のバリエーション２に従って各ポートが１個のシンボルにマッピングされるのか、バリエーション２に従ってポートが１個または２個のシンボルにマッピングされるのかを、ＣＩＦを介してシグナリングされた周波数（または周波数間隔）に基づいて設定する。
【００７０】
さらに本開示は、通信システムにおいて、複数のアンテナを使用して、ユーザ装置２１０によって基地局２６０にデータを送信する、および／または、ユーザ装置２１０によって基地局２６０からのデータを受信する、方法、を提供する。本方法は、参照信号を伝えるためのそれぞれのリソースをポートに割り当てるための規則を定義するパラメータ、を受信するステップと、ユーザ装置および基地局に既知であるマッピングに基づいて、ポートへのレイヤのマッピングの組合せのセットを生成するステップと、ポートへのレイヤのマッピングの組合せのセットのうち、データの送信および／または受信に適用されるべき１つの組合せを示す制御情報を、基地局から受信するステップと、を含む。
【００７１】
さらに、本開示は、複数のアンテナを使用して、基地局２６０によってユーザ装置２１０からのデータを受信する、および／または、基地局２６０によってユーザ装置２１０にデータを送信する、方法であって、参照信号を伝えるためのそれぞれのリソースをポートに割り当てるための規則を定義するパラメータ、を送信するステップと、ユーザ装置および基地局に既知であるマッピングに基づいて、ポートへのレイヤのマッピングの組合せのセットを生成するステップと、ポートへのレイヤのマッピングの組合せのセットのうち、データの受信および／または送信に適用されるべき１つの組合せを示す制御情報を、ユーザ装置に送信するステップと、を含む、方法、を提供する。
【００７２】
本開示の非限定的かつ例示的な実施形態においては、システムレベルの情報、ＲＲＣシグナリング、および／またはＰＤＣＣＨシグナリングから入力パラメータを取得して、これらのパラメータを利用し、事前定義された規則／原則に基づいて、前方配置ＤＭＲＳポートのインデクシング列、ポートへのレイヤのマッピング、および、所与の構成タイプにおける１シンボルの前方配置ＤＭＲＳまたは２シンボルの前方配置ＤＭＲＳの指示情報、を生成する、枠組み、を提案する。本開示は、以下を含む。
１．  新規のパラメータ（ＤＭＲＳポートのインデクシングタイプ）の定義およびシグナリング
２．  ポートへのレイヤのマッピングの柔軟な組合せを生成するための原則
３．  １シンボル前方配置ＤＭＲＳまたは２シンボル前方配置ＤＭＲＳを示すシグナリング
【００７３】
図３は、ＤＭＲＳポートのインデクシング、ポートへのレイヤのマッピング、および、前方配置ＤＭＲＳ構成それぞれにおける１シンボルＤＭＲＳまたは２シンボルＤＭＲＳの指示情報、のための例示的な枠組み、を示している。以下のステップが図３に示してある。
１．  以下のパラメータまたはより多くのパラメータの値が、送信機／受信機２２０，２７０の両方の側に（すなわち、ユーザ装置２１０および／または基地局２６０によるデータの送信および／または受信用に）示される。
ａ）  キャリア周波数は、送信機または受信機に既知であるシステム情報を構成する。
ｂ）  前方配置ＤＭＲＳ構成タイプは、ＲＲＣを介して送信機／受信機にシグナリングされる。
ｃ）  ＤＭＲＳポートのインデクシングタイプは、新規のパラメータによってＲＲＣまたはＰＤＣＣＨを介して送信機／受信機にシグナリングされる。
ｃ）による新規のパラメータがＲＲＣを介して設定される場合、このパラメータによって、ポートへのレイヤのマッピングの組合せの数を、制御シグナリングのオーバーヘッドを増大させることなく２倍に増やすことができる。
２．  上のパラメータに基づいて、ポートのインデクシング列が定義され、それに応じて直交ＤＭＲＳポートがナンバリングされる。
３．  これに続いて、ポートへのレイヤのマッピングの組合せのセットをリストする、ポートへのレイヤのマッピングテーブルが、（１つまたは複数の）事前定義された規則に基づいて生成される。これらの規則は、特に、マッピング原則１）および原則２）を意味する。
これにより、特に多数の直交ポートの場合に（例えば、ポートが割り当てられるリソースが２シンボルＤＭＲＳを含むとき）、オーバーヘッドを穏当に維持しながら、従来技術と比較して増大した柔軟性を提供することができる。さらに、ＭＵ−ＭＩＭＯのための直交マッピングを達成することができる。
４．  テーブルのサイズに基づいて、組合せを格納するためのビットマップのサイズが定義される。
５．  次に、任意の所与のシナリオにおいて、ポートへのレイヤのインデクシング（layer-to-port indexing）をＰＤＣＣＨシグナリングを使用してユーザに示す。
【００７４】
図３に示したように、本開示の一態様は、ＤＭＲＳポートのインデクシング列を扱う。現在のＬＴＥでは、ＤＭＲＳポートには、シナリオにかかわらず固定された番号が割り当てられる。例えば、非特許文献３の２９．１．１節に示されているように、ＬＴＥのダウンリンクでは、ポート番号ｐ７〜ｐ１４のポートが直交ＤＭＲＳポートに割り当てられる。しかしながら本開示によれば、ＮＲではポート番号の割当てが柔軟であるべきであり、なぜなら異なるポートにおいて多重化方式が異なるためである。ポートインデックスを柔軟に割り当てることができることにより、ポートへのレイヤのマッピングの組合せの課題に別の次元が加わる。実際に、ポートへのレイヤのマッピングテーブルは、ＤＭＲＳポートインデクシングに関するこの柔軟性に透過的である。これにより、恩恵として、ＲＲＣによって設定されるときには制御シグナリングのオーバーヘッドを増大させることなく、ポートへのレイヤのマッピングの組合せの数が２倍に増える。
【００７５】
これに続いて、十分な柔軟性を維持しながら、ポートへのレイヤの組合せの数を相当に減らすための（１つまたは複数の）規則を定義することを開示する。組合せの数を減らすための単一の規則または一連の規則のいずれかを定義することができる。全般的な原則を単独で適用する、または、より厳しい規則と組み合わせて組合せの数をさらに減らすことができる。ＬＴＥでは、所与のユーザのコードワードの数に応じて、２つの個別のテーブルが定義されている。提案する全般的な原則は、このように１つまたは複数のコードワード用に個別のテーブルを有し得ることと両立して使用できるように適用される。
【００７６】
以下では、所与の前方配置ＤＭＲＳ構成における１シンボルＤＭＲＳまたは２シンボルＤＭＲＳの存在を示すためのシグナリングがどのように扱われるかについて説明する。提案するメカニズムの完全な例を以下に示す。この例では、本メカニズムは、図１Ｃおよび図１Ｄに示した構成タイプ２のＤＭＲＳ構成に適用される。しかしながら本開示によれば、本メカニズムは、構成タイプ１の設定にも同様に適用することができる。
【００７７】
１．  最初に、ＲＲＣが、例えば以下のパラメータ値をシグナリングする。
・  キャリア周波数：  ４ＧＨｚ
・  前方配置ＤＭＲＳ構成タイプ：  ２
【００７８】
これらのパラメータに基づく、前方配置ＤＭＲＳ構成タイプ２の場合の１シンボルＤＭＲＳおよび２シンボルＤＭＲＳそれぞれにおける２つのＤＭＲＳポートインデクシングタイプ（すなわちポートナンバリングタイプ）を、以下に示す。
・  図４Ａに示した１シンボルＤＭＲＳポートのインデクシングタイプ１（ＦＤＭ−＞ＦＤ−ＯＣＣ）。このナンバリングタイプは、２つのポートまたは３つのポートの場合に、周波数領域における、より大きなダイバーシチを利用するために適している。
・  図４Ｂに示した１シンボルＤＭＲＳポートのインデクシングタイプ２（ＦＤ−ＯＣＣ−＞ＦＤＭ）。このナンバリングタイプは、２つのポート、３つのポート、または４つのポートの場合にデータ多重化のためのリソースを残すために適している。
・  図５Ａに示した２シンボルＤＭＲＳポートのインデクシングタイプ１（ＦＤＭ−＞ＦＤ−ＯＣＣ＋ＴＤ−ＯＣＣ）。このナンバリングタイプは、２つのポートまたは３つのポートの場合に、周波数領域における、より大きなダイバーシチを利用するために適している。
・  図５Ｂに示した２シンボルＤＭＲＳポートのインデクシングタイプ２（ＦＤ−ＯＣＣ＋ＴＤ−ＯＣＣ−＞ＦＤＭ）。このナンバリングタイプは、４つのポートまたは８つのポートの場合に、周波数領域における、より大きなダイバーシチを利用するために適している。
【００７９】
図４Ａ、図４Ｂ、図５Ａ、および図５Ｂにおいて、それぞれのＦＤＭグループは、図１Ｃおよび図１Ｄにおけるそれぞれの表示内容に従って示してある。
【００８０】
２．  ２番目に、例えばＲＲＣまたはＰＤＣＣＨによって設定されるＤＭＲＳポートインデクシングタイプ１を選択する。インデクシングタイプ１の場合、ポートのインデクシング列は、順序ＦＤＭ→ＦＤ−ＯＣＣ（１シンボルＤＭＲＳ）または順序ＦＤＭ→ＦＤ−ＯＣＣ＋ＴＤ−ＯＣＣ（２シンボルＤＭＲＳ）に従って、生成される。例えば「ＦＤＭ→ＦＤ−ＯＣＣ」は、最初にポートインデックス（Ｐ１〜Ｐ３）が、同じＦＤ−ＯＣＣ（例えば｛１，１｝）を有するポートを対象にすべてのＦＤＭグループにわたり順に値が大きくなり、次にポートインデックス（Ｐ４〜Ｐ６）が、他方のＦＤ−ＯＣＣ（｛１，−１｝）を有するポートを対象に同じ順序でＦＤＭグループにわたり再び順に値が大きくなることを意味する。同様に、ＦＤ−ＯＣＣ→ＦＤＭの場合には、最初にインデックスが、例えばすべてのＦＤＭグループを有する｛１，１｝ポートにわたり順に値が大きくなり、次に、ＦＤＭグループの同じ順序を維持しながらすべての｛１，−１｝ポートにわたり順に値が大きくなる。本開示は、ＦＤＭグループまたはＦＤ−ＯＣＣの特定の順序に限定されず、例えばＦＤ−ＯＣＣの順序は、上記に代えて最初に｛１，−１｝、２番目に｛１，１｝でもよい。
【００８１】
３．  次に、ポートへのレイヤのマッピングを含むテーブルを生成する。原則「より高いランクが、連続するＤＭＲＳポートに最初にマッピングされ、その後に、より低いランクが連続的にマッピングされる」（すなわちポートへのレイヤのマッピングの前述した原則１）および原則２）の組合せ）に基づいて、以下のテーブルが、１シンボルＤＭＲＳ（テーブル３）および２シンボルＤＭＲＳ（テーブル４）の両方を対象にそれぞれ生成される。これらのテーブルにおいて、「状態」は、ポートへのレイヤのマッピング設定のインデックスを示す（表２の「インデックス」列に対応する）。
【表３】
2020533832.tif 000005
【表４】
2020533832.tif 000006
2020533832.tif 000007
【００８２】
表３および表４から理解できるように、１シンボルＤＭＲＳは、４ビットのフィールドによって示すことのできる１５個の状態を有し、２シンボルＤＭＲＳは、６ビットのフィールドによって示すことのできる４８個の状態を有する（いくつかの状態は予約される）。さらに、１シンボルＤＭＲＳおよび２シンボルＤＭＲＳの両方の状態が結合される（すなわち１シンボルマッピング設定および２シンボルマッピング設定の両方にわたり順に値が大きくなるインデックスによって連続的にインデックス化される）ならば、合計数は６３であり、これは依然として６ビットのフィールドによって示すことができる。表３の１シンボルのポートへのレイヤのマッピングの組合せと、表４の２シンボルのポートへのレイヤのマッピングの組合せとを結合するインデクシング列を生成し、結合されたインデクシング列からインデックスを選択することによって、１シンボルＤＭＲＳが使用されるのか２シンボルＤＭＲＳが使用されるのかが、暗黙的に示される。したがって、１シンボルＤＭＲＳの存在または２シンボルＤＭＲＳの存在を明示的にシグナリングするための追加のビットが必要ない。そうではなく、所与の結合の１シンボルＤＭＲＳおよび２シンボルＤＭＲＳの両方について、データ送信に適用されるレイヤとポートの対応（layer-to-port）をシグナリングするために、１つのビットマップが使用される。したがって、１シンボルＤＭＲＳが存在するのか２シンボルＤＭＲＳが存在するのかを、追加のビット（例えば１シンボルＤＭＲＳ／２シンボルＤＭＲＳを示すフラグ）を必要とせずに暗黙的に示す方法である。
【００８３】
以下では、上のパラメータを使用する例示的なケースとして、３つのユーザ／ユーザ装置が存在するケースを考える。ユーザ１は４つのレイヤを有し、ユーザ２は６つのレイヤを有し、ユーザ３は２つのレイヤを有する。これに応じて、ユーザ２がＰ１〜Ｐ６にマッピングされ、ユーザ１（すなわちユーザ１のレイヤ）がＰ７〜Ｐ１０にマッピングされ、ユーザ３がＰ１１〜Ｐ１２にマッピングされ、以下のビットマップが各ユーザにそれぞれ送信される（１つのビットマップを使用して状態が結合されている）。
・  ユーザ１：  インデックス（１５＋３４）４９−＞１１０００１
・  ユーザ２：  インデックス（１５＋４１）５５−＞１１０１１１
・  ユーザ３：  インデックス（１５＋２２）３７−＞１００１０１
【００８４】
以下では、構成タイプおよびキャリア周波数に従ってのポートへのリソースの割当ての非限定的な例を提供する。
【００８５】
センチメートル波／ミリ波の周波数帯域（すなわち６ＧＨｚより高い周波数の周波数帯域）および前方配置ＤＭＲＳ構成タイプ１の場合には、ポートの順序のシグナリングに応じて、ＴＤ−ＯＣＣが許可されないときには）「コーム−＞ＣＳ」または「ＣＳ−＞コーム」が選択され、許可される場合には「コーム−＞ＴＤ−ＯＣＣ−＞ＣＳ」または「ＴＤ−ＯＣＣ−＞ＣＳ−＞コーム」が選択され、より高いランクが、連続するＤＭＲＳポートに最初にマッピングされ、そのあとに、より低いランクが連続的にマッピングされ、シグナリングには単一のビットマップが使用される。
【００８６】
センチメートル波／ミリ波の周波数帯域および前方配置ＤＭＲＳ構成タイプ２の場合には、ポートの順序のシグナリングに応じて、ＴＤ−ＯＣＣが許可されないときには「ＦＤＭ−＞ＦＤ−ＯＣＣ−＞ＳｃＩＤ」または「ＦＤ−ＯＣＣ−＞ＳｃＩＤ−＞ＦＤＭ」が選択され、許可される場合には「ＦＤＭ−＞ＦＤ−ＯＣＣ−＞ＴＤ−ＯＣＣ」または「ＦＤ−ＯＣＣ−＞ＴＤ−ＯＣＣ−＞ＦＤＭ」が選択され、より高いランクが、連続するＤＭＲＳポートに最初にマッピングされ、そのあとに、より低いランクが連続的にマッピングされ、シグナリングには単一のビットマップが使用される。
【００８７】
センチメートル波／ミリ波の周波数帯域より低い周波数および前方配置ＤＭＲＳ構成タイプ１の場合には、ポートの順序のシグナリングに応じて、「コーム−＞ＴＤ−ＯＣＣ−＞ＣＳ」または「ＴＤ−ＯＣＣ−＞ＣＳ−＞コーム」が選択され、より高いランクが、連続するＤＭＲＳポートに最初にマッピングされ、そのあとに、より低いランクが連続的にマッピングされ、シグナリングには単一のビットマップが使用される。
【００８８】
センチメートル波／ミリ波の周波数帯域より低い周波数および前方配置ＤＭＲＳ構成タイプ２の場合には、ポートの順序のシグナリングに応じて、「ＦＤＭ−＞ＦＤ−ＯＣＣ−＞ＴＤ−ＯＣＣ」または「ＦＤ−ＯＣＣ−＞ＴＤ−ＯＣＣ−＞ＦＤＭ」が選択され、より高いランクが、連続するＤＭＲＳポートに最初にマッピングされ、そのあとに、より低いランクが連続的にマッピングされ、シグナリングには単一のビットマップが使用される。
【００８９】
表５および表６にも、ＤＭＲＳポートのインデクシングタイプが示してある。さらなるオプションも可能であるが、必ずしも必要ではない。
【表５】
2020533832.tif 000008
【表６】
2020533832.tif 000009
【００９０】
一般的な一態様においては、本開示は、通信システムにおいて、複数のアンテナを使用して、基地局にデータを送信する、および／または、基地局からのデータを受信する、ユーザ装置、を提供する。本ユーザ装置は回路を備えており、この回路は、動作時、参照信号を伝えるためのそれぞれのリソースをポートに割り当てるための規則を定義するパラメータ、を受信し、ユーザ装置および基地局に既知であるマッピングに基づいて、ポートへのレイヤのマッピングの組合せのセットを生成し、ポートへのレイヤのマッピングの組合せのセットのうち、データの送信および／または受信に適用されるべき１つの組合せ、を示す制御情報を、基地局から受信する。
【００９１】
これにより、穏当なシグナリングオーバーヘッドを維持しながら、ポートへのレイヤの柔軟なマッピングと、さまざまな前方配置ＤＭＲＳ構成内での１シンボルＤＭＲＳまたは２シンボルＤＭＲＳを柔軟に設定することが促進される。
【００９２】
例えば、規則は、ポートのインデクシング列をさらに定義し、マッピングは、各組合せのレイヤが、連続的にインデックス化されるポートにマッピングされることを指定する。
【００９３】
例えば、マッピングは、第２の構成より高いランクを有する第１の構成の各レイヤが、第２の構成の任意のレイヤがマッピングされる各ポートより小さいインデックスを有するポートにマッピングされることをさらに指示し、ランクは構成のレイヤの数である。
【００９４】
これらの規則は、ポートへのレイヤのマッピングの組合せの穏当な数を維持する一方で、同時に、ポートへのレイヤのマッピングの柔軟な組合せを提供することを促進する。
【００９５】
いくつかの実施形態においては、参照信号を伝えるリソースは、時間領域における１つまたは複数のシンボル上に位置する。
【００９６】
マッピングは、例えば、ポートへのレイヤのマッピングの組合せをインデックス化することを暗黙的に含み、これらの組合せは、時間領域における１個のシンボルを使用する組合せと２個以上のシンボルを使用する組合せの両方を含めて連続的にインデックス化される。
【００９７】
これにより、１つの参照信号を使用する組合せが使用されるのか２つ以上の参照信号を使用する組合せが使用されるのかを暗黙的に伝える方法が提供される。
【００９８】
いくつかの例示的な実施形態においては、ポートに割り当てられるリソースは２つのリソース成分を含み、第１のリソース成分構成が、参照信号のコームおよび巡回シフトを含み、コームは、奇数のサブキャリアインデックスを有するサブキャリアまたは偶数のサブキャリアインデックスを有するサブキャリアのいずれかから構成され、第２のリソース成分構成が、周波数分割多重および周波数分割直交カバーコード（ＯＣＣ）を含み、ユーザ装置の回路は、動作時、第１のリソース成分構成が使用されるのか第２のリソース成分構成が使用されるのかを示すインジケータを、基地局からさらに受信する。
【００９９】
例えば、参照信号を伝えるためのそれぞれのリソースをポートに割り当てるための規則を定義するパラメータは、無線リソース制御（ＲＲＣ）プロトコルを介して受信される。
【０１００】
これにより、ポートへのレイヤのマッピングの組合せの数を、シグナリングオーバーヘッドを増大させることなく増やすことが促進される。
【０１０１】
いくつかの実施形態においては、ユーザ装置の処理回路は、動作時、送信および／または受信用に割り当てられたキャリア周波数に従って、各ポートが１個のシンボルにマッピングされるのか、ポートが１個または２個のシンボルにマッピングされるのかを設定する。
【０１０２】
例えば、ユーザ装置の回路は、動作時、キャリア周波数を指定するキャリアインジケータフィールド（ＣＩＦ）をさらに受信する。
【０１０３】
いくつかの実施形態においては、参照信号は、前方配置復調参照信号である。
【０１０４】
いくつかの実施形態においては、ユーザ装置は送受信機をさらに備えており、送受信機は、動作時、ポートへのレイヤのマッピングの示された組合せを適用して、データの送信および／または受信を実行する。
【０１０５】
通信システムにおいて、ユーザ装置からのデータを受信する、および／または、ユーザ装置にデータを送信する、基地局であって、動作時にデータを送信または受信する複数のアンテナと、動作時、参照信号を伝えるためのそれぞれのリソースをポートに割り当てるための規則を定義するパラメータ、を送信し、ユーザ装置および基地局に既知であるマッピングに基づいて、ポートへのレイヤのマッピングの組合せのセットを生成し、ポートへのレイヤのマッピングの組合せのセットのうち、データの受信および／または送信に適用されるべき１つの組合せを示す制御情報を、ユーザ装置に送信する、回路と、を備えている、基地局、をさらに提供する。
【０１０６】
いくつかの実施形態においては、参照信号を伝えるためのそれぞれのリソースをポートに割り当てるための規則を定義するパラメータは、無線リソース制御（ＲＲＣ）プロトコルを介して送信される。
【０１０７】
さらに、いくつかの実施形態においては、基地局の回路は、動作時、参照信号を伝えるためのそれぞれのリソースをポートに割り当てるための規則を定義するパラメータ、をさらに設定する。
【０１０８】
例えば、ポートに割り当てられるリソースは、巡回シフトまたは周波数分割直交カバーコードのいずれかを含み、回路が、動作時、第１のポートに適用される第１の巡回シフトまたは周波数分割直交カバーコードの割当てと、この第１の巡回シフトまたは周波数分割直交カバーコードとは異なる、第２のポートに適用される第２の巡回シフトまたは周波数分割直交カバーコードの割当てと、をさらに設定し、複数のアンテナのうちの第１のアンテナが、動作時、第１のポートを使用してデータを受信または送信し、複数のアンテナのうちの第２のアンテナが、動作時、第２のポートを使用してデータを受信または送信する。
【０１０９】
一般的な別の態様によれば、通信システムにおいて、複数のアンテナを使用して、ユーザ装置によって基地局にデータを送信する、および／または、ユーザ装置によって基地局からのデータを受信する、方法であって、参照信号を伝えるためのそれぞれのリソースをポートに割り当てるための規則を定義するパラメータ、を受信する方法ステップと、ユーザ装置および基地局に既知であるマッピングに基づいて、ポートへのレイヤのマッピングの組合せのセットを生成する方法ステップと、ポートへのレイヤのマッピングの組合せのセットのうち、データの送信および／または受信に適用されるべき１つの組合せを示す制御情報を、基地局から受信する方法ステップと、を含む、方法、を開示する。
【０１１０】
複数のアンテナを使用して、基地局によってユーザ装置からのデータを受信する、および／または、基地局によってユーザ装置にデータを送信する、方法であって、参照信号を伝えるためのそれぞれのリソースをポートに割り当てるための規則を定義するパラメータ、を送信するステップと、ユーザ装置および基地局に既知であるマッピングに基づいて、ポートへのレイヤのマッピングの組合せのセットを生成するステップと、ポートへのレイヤのマッピングの組合せのセットのうち、データの受信および／または送信に適用されるべき１つの組合せを示す制御情報を、ユーザ装置に送信するステップと、を含む、方法、をさらに開示する。
【０１１１】
要約すれば、本開示は、ユーザ装置と、基地局と、ユーザ装置によってデータを送信／受信する方法と、基地局によってデータを受信／送信する方法と、を開示する。ユーザ装置は回路を備えており、この回路は、動作時、参照信号を伝えるためのそれぞれのリソースをポートに割り当てるための規則を定義するパラメータ、を受信し、ユーザ装置および基地局に既知であるマッピングに基づいて、ポートへのレイヤのマッピングの組合せのセットを生成し、ポートへのレイヤのマッピングの組合せのセットのうち、データの送信および／または受信に適用されるべき１つの組合せ、を示す制御情報を、基地局から受信する。
【図１】
2020533832.tif 000010
【図２】
2020533832.tif 000011
【図３】
2020533832.tif 000012
【図４】
2020533832.tif 000013
【図５】
2020533832.tif 000014
【図６】
2020533832.tif 000015
【図７】
2020533832.tif 000016
【国際調査報告】
2020533832.tif 000017
2020533832.tif 000018